(57)【要約】【課題】モータより発生する騒音を調整できるモータ駆動用インバータ制御装置を提供する。【解決手段】交流電源１を入力とするダイオードブリッジ２と、前記ダイオードブリッジ２からの直流電力を、モータ６を駆動するための交流電力に変換するインバータ５と、前記インバータ５をＰＷＭ制御する際の変調方式について、２相変調か３相変調のどちらかを選択するための変調方式選択手段１１を備えたもので、キャリア周波数の整数倍で発生する周波数の騒音を分散または集中させて、モータ６の騒音を微調整することが可能となる。【選択図】図１
2008141856.tif 000002
【特許請求の範囲】
【請求項１】
交流電源を入力とする整流回路と、前記整流回路からの直流電力を、モータを駆動するための交流電力に変換するインバータと、前記インバータをＰＷＭ制御する際の変調方式について、２相変調か３相変調のどちらかを選択するための変調方式選択手段を備えたモータ駆動用インバータ制御装置。
【請求項２】
交流電源を入力とする整流回路と、前記整流回路からの直流電力を、モータを駆動するための交流電力に変換するインバータと、前記インバータをＰＷＭ制御する際の変調方式について、前記インバータをＰＷＭ制御する際のキャリア周波数を選択するためのキャリア周波数選択手段を備えたモータ駆動用インバータ制御装置。
【請求項３】
交流電源を入力とする整流回路と、前記整流回路からの直流電力を、モータを駆動するための交流電力に変換するインバータと、前記インバータをＰＷＭ制御する際の変調方式について、２相変調か３相変調のどちらかを選択するための変調方式選択手段と、前記インバータをＰＷＭ制御する際のキャリア周波数を選択するためのキャリア周波数選択手段を備えたモータ駆動用インバータ制御装置。
【請求項４】
冷媒を圧縮すると共にモータで駆動される圧縮機と、請求項１〜３のいずれか１項に記載のモータ駆動用インバータ制御装置とを備え、前記モータを前記モータ駆動用インバータ制御装置で駆動制御することを特徴とする空気調和機。
【発明の詳細な説明】
【技術分野】
【０００１】
本発明は、モータを駆動するモータ駆動用インバータ制御装置および空気調和機に関するものである。
【背景技術】
【０００２】
汎用インバータなどで用いられている従来の一般的なモータ駆動用インバータ制御装置においては、前記インバータをＰＷＭ制御する際の変調方式について、２相変調か３相変調のどちらかを選択するかは、インバータ効率やモータから発生する騒音などによってどちらか一方に決められていた。また、前記インバータをＰＷＭ制御する際のキャリア周波数は、マイコンの計算速度、インバータ効率、モータから発生する騒音などにより一定の値で決められていた（例えば、特許文献１参照）。
【特許文献１】特開２００４−２８９９８５号公報
【発明の開示】
【発明が解決しようとする課題】
【０００３】
しかしながら、上記従来のモータ駆動用インバータ制御装置の構成では、モータから発生する騒音（キャリア周波数の１倍、または数倍の周波数）は、あらかじめ設定された変調方式およびキャリア周波数によって一定の周波数で発生する。騒音値を計測器で計測した場合のＡレンジを用いると、変調方式やキャリア周波数を変更してもほとんど差異がない場合でも、人間の耳で聞く実聴感では、年齢や生活環境や個人の好みによって差異が出るという課題があった。
【０００４】
また、空気調和機の室外機の設置場所により、室外機に内蔵された圧縮機のモータより発生した騒音が、壁などで反射したり、冷媒配管の長さによっては、配管を伝って室内機まで伝播するという課題もあった。
【０００５】
本発明は、上記従来の課題を解決するものであり、顧客の好みに合わせて騒音の調整ができるモータ駆動用インバータ制御装置及び空気調和機を提供することを目的とする。
【課題を解決するための手段】
【０００６】
上記従来の課題を解決するために、本発明のモータ駆動用インバータ制御装置は、交流電源を入力とする整流回路と、前記整流回路からの直流電力を、モータを駆動するための交流電力に変換するインバータと、前記インバータをＰＷＭ制御する際の変調方式について、２相変調か３相変調のどちらかを選択するための変調方式選択手段を備えたもので、キャリア周波数の整数倍で発生する周波数の騒音を分散または集中させて、モータ騒音を微調整することが可能となる。
【０００７】
また、本発明のモータ駆動用インバータ制御装置は、交流電源を入力とする整流回路と、前記整流回路からの直流電力を、モータを駆動するための交流電力に変換するインバータと、前記インバータをＰＷＭ制御する際の変調方式について、前記インバータをＰＷＭ制御する際のキャリア周波数を選択するためのキャリア周波数選択手段を備えたもので、キャリア周波数の１倍から整数倍の周波数で発生するモータの騒音の周波数を、キャリア周波数を変えることにより変更することができるので、モータ騒音を微調整することが可能となる。
【０００８】
また、本発明のモータ駆動用インバータ制御装置は、交流電源を入力とする整流回路と、前記整流回路からの直流電力を、モータを駆動するための交流電力に変換するインバー
タと、前記インバータをＰＷＭ制御する際の変調方式について、２相変調か３相変調のどちらかを選択するための変調方式選択手段と、前記インバータをＰＷＭ制御する際のキャリア周波数を選択するためのキャリア周波数選択手段を備えたもので、キャリア周波数の１倍から整数倍の周波数で発生するモータの騒音は、キャリア周波数を変えることにより発生する騒音の周波数そのものを変更することができ、２相変調と３相変調を変えることにより、キャリア周波数の整数倍で発生する周波数の騒音を分散または集中させることができ、モータ騒音を微調整することが可能となる。
【０００９】
本発明の空気調和機は、冷媒を圧縮すると共にモータで駆動される圧縮機と、請求項１〜３のいずれか１項に記載のモータ駆動用インバータ制御装置とを備え、前記モータを前記モータ駆動用インバータ制御装置で駆動制御するもので、使用者の好みに合わせてモータ騒音を微調整することができる、使用勝手の良い空気調和機を提供することが出来る。
【発明の効果】
【００１０】
本発明のモータ駆動用インバータ制御装置は、システムに応じてインバータをＰＷＭ制御する際の変調方式やキャリア周波数を選択することが可能になり、モータより発生する騒音の周波数や音質を調整できる。
【発明を実施するための最良の形態】
【００１１】
第１の発明は、交流電源を入力とする整流回路と、前記整流回路からの直流電力を、モータを駆動するための交流電力に変換するインバータと、前記インバータをＰＷＭ制御する際の変調方式について、２相変調か３相変調のどちらかを選択するための変調方式選択手段を備えたもので、キャリア周波数の整数倍で発生する周波数の騒音を分散または集中させて、モータ騒音を微調整することが可能となる。
【００１２】
第２の発明は、交流電源を入力とする整流回路と、前記整流回路からの直流電力を、モータを駆動するための交流電力に変換するインバータと、前記インバータをＰＷＭ制御する際の変調方式について、前記インバータをＰＷＭ制御する際のキャリア周波数を選択するためのキャリア周波数選択手段を備えたもので、キャリア周波数の１倍から整数倍の周波数で発生するモータの騒音の周波数を、キャリア周波数を変えることにより変更することができるので、モータ騒音を微調整することが可能となる。
【００１３】
第３の発明は、交流電源を入力とする整流回路と、前記整流回路からの直流電力を、モータを駆動するための交流電力に変換するインバータと、前記インバータをＰＷＭ制御する際の変調方式について、２相変調か３相変調のどちらかを選択するための変調方式選択手段と、前記インバータをＰＷＭ制御する際のキャリア周波数を選択するためのキャリア周波数選択手段を備えたもので、キャリア周波数の１倍から整数倍の周波数で発生するモータの騒音は、キャリア周波数を変えることにより発生する騒音の周波数そのものを変更することができ、２相変調と３相変調を変えることにより、キャリア周波数の整数倍で発生する周波数の騒音を分散または集中させることができ、モータ騒音を微調整することが可能となる。
【００１４】
第４の発明は、冷媒を圧縮すると共にモータで駆動される圧縮機と、請求項１〜３のいずれか１項に記載のモータ駆動用インバータ制御装置とを備え、前記モータを前記モータ駆動用インバータ制御装置で駆動制御するもので、使用者の好みに合わせてモータ騒音を微調整することができる、使用勝手の良い空気調和機を提供することが出来る。
【００１５】
以下、本発明の実施の形態について図面を参照しながら説明する。なお、この実施の形態によって、本発明が限定されるものではない。
【００１６】
（実施の形態１）
図１は、本発明の第１の実施の形態におけるモータ駆動用インバータ制御装置のシステム構成図である。
【００１７】
図１において、本実施の形態におけるモータ駆動用インバータ制御装置の主回路７は、交流電源１と、交流電源１からの交流電力を直流電力に変換する整流回路であるダイオードブリッジ２と、リアクタ３と、平滑コンデンサ４と、直流電力を、モータ６を駆動するための交流電力に変換するインバータ５から構成されている。
【００１８】
一方、制御回路１５は、変調方式選択手段１１で選択された２相変調か３相変調のどちらかの変調方式、ならびに、キャリア周波数選択手段１２で決められたキャリア周波数によって、モータ６に印加されるようなインバータ５のＰＷＭ信号を生成するＰＷＭ制御手段１０から構成されている。
【００１９】
以上のように、本実施の形態によれば、インバータ５を、ＰＷＭ制御する際の変調方式について２相変調か３相変調のどちらかを選択することができる変調方式選択手段１１によって、モータ６から発生する騒音（キャリア音）を、システムに応じて最適な変調方式を選択することにより調整が可能となる。
【００２０】
また、インバータ５をＰＷＭ制御する際の変調方式についてキャリア周波数を選択することが可能であるキャリア周波数選択手段１２によって、モータ６から発生する騒音（キャリア音）を、システムに応じて最適なキャリア周波数を選択することにより調整が可能となる。
【００２１】
また、インバータ５をＰＷＭ制御する際の変調方式について２相変調か３相変調のどちらかを選択することができる変調方式選択手段１１と、インバータ５をＰＷＭ制御する際のキャリア周波数を選択することが可能であるキャリア周波数選択手段１２によって、モータ６から発生する騒音（キャリア音）をシステムに応じて最適な変調方式とキャリア周波数の組み合わせを選択することにより調整が可能となる。
【００２２】
また、冷媒を圧縮すると共にモータ（図示せず）で駆動される圧縮機（図示せず）を内蔵した空気調和機において、前記モータを、上記実施の形態で述べたモータ駆動用インバータ制御装置で駆動制御するようにすれば、使用者の好みに合わせて、発生する騒音の調整を行うことができる。
【産業上の利用可能性】
【００２３】
以上のように、本発明に係るモータ駆動用インバータ制御装置は、システムに応じてインバータをＰＷＭ制御する際の変調方式やキャリア周波数を選択することが可能になり、モータより発生する騒音の周波数や音質を調整できるもので、空気調和機に限らずインバータ制御されるモータを有する各種機器に適用できるものである。
【図面の簡単な説明】
【００２４】
【図１】本発明の実施の形態１におけるモータ駆動用インバータ制御装置のシステム構成図
【符号の説明】
【００２５】
１  交流電源
２  ダイオードブリッジ（整流回路）
３  リアクタ
４  平滑コンデンサ
５  インバータ
６  モータ
７  主回路
１０  ＰＷＭ制御手段
１１  変調方式選択手段
１２  キャリア周波数選択手段
１５  制御回路
【図１】
2008141856.tif 000003